(57)【特許請求の範囲】
【請求項１】
健康関連データと、所定の疾患のリスクと、の関係を示した第１のデータベースと、前記所定の疾患のリスクと、外見又は器官の変化傾向と、の関係を示した第２のデータベースと、を記憶した記憶部と、
対象人物の健康関連データと、前記対象人物の外見又は器官データと、が入力される入力部と、
前記第１のデータベースを参照して、前記対象人物の健康関連データに応じた前記所定の疾患のリスクを決定する第１の決定部と、
前記第２のデータベースを参照して、前記決定された所定の疾患のリスクに応じた外見又は器官の変化傾向を決定する第２の決定部と、
前記対象人物の外見又は器官データと、前記決定された外見又は器官の変化傾向と、に基づき、前記対象人物の外見又は器官の将来像を作成する画像作成部と、
を備え、
前記記憶部には、前記所定の疾患のリスクと、前記変化傾向と、が前記健康関連データの種類ごとに記憶されており、
前記第１の決定部は、前記健康関連データの種類ごとに前記所定の疾患のリスクを決定し、
前記第２の決定部は、前記健康関連データの種類ごとに前記変化傾向を決定し、
前記画像作成部は、前記対象人物の外見又は器官データと、前記健康関連データの種類ごとに決定された変化傾向と、に基づき、前記将来像を作成することを特徴とする将来像予測装置。
【請求項３】
前記将来像を表示可能な第１の表示部を更に備え、
前記第１の表示部上には、前記対象人物の健康関連データを連続的又は段階的に変更可能な第１の操作部と、前記将来像を連続的又は段階的に変更可能な第２の操作部と、の少なくとも一方が表示可能であり、
前記第１の操作部において前記対象人物の健康関連データが変更されると、前記第１の表示部上には、前記変更された健康関連データに基づく将来像が表示され、
前記第２の操作部において前記将来像が変更されると、前記第１の表示部上には、前記変更された将来像に対応した健康関連データが表示されることを特徴とする請求項１に記載の将来像予測装置。
【請求項４】
前記将来像を出力可能な出力部を更に備え、
前記第１の決定部は、前記健康関連データの種類ごとに前記所定の疾患のリスクを決定した上で、複数の前記所定の疾患のリスクを複合した複合値を算出し、
前記記憶部には、前記複合値と、前記所定の疾患の発症又は重症化リスクと、の関係を示した第３のデータベースが記憶されており、
前記対象人物の健康関連データから得られた前記所定の疾患のリスクの複合値に応じた前記所定の疾患の発症又は重症化リスクが前記出力部から出力させることを特徴とする請求項１又は３に記載の将来像予測装置。
【請求項５】
複数の器官イメージを表示可能な第２の表示部を更に備え、
前記第２の表示部において選択された器官イメージが、前記対象人物の器官データとして前記入力部に入力されることを特徴とする請求項１、３、４のいずれか一項に記載の将来像予測装置。
【請求項６】
健康関連データと、所定の疾患のリスクと、の関係を示した第１のデータベースと、前記所定の疾患のリスクと、外見又は器官の変化傾向と、の関係を示した第２のデータベースと、を記憶した記憶部と、対象人物の健康関連データと、前記対象人物の外見又は器官データと、が入力される入力部と、画像作成可能な画像作成部と、を有するコンピュータにインストールされるプログラムであって、
前記第１のデータベースを参照して、前記対象人物の健康関連データに応じた前記所定の疾患のリスクを決定する第１のステップと、
前記第２のデータベースを参照して、前記決定された所定の疾患のリスクに応じた外見又は器官の変化傾向を決定する第２のステップと、
前記対象人物の外見又は器官データと、前記決定された外見又は器官の変化傾向と、に基づき、前記画像作成部に前記対象人物の外見又は器官の将来像を作成させる第３のステップと、
を備えた、
前記記憶部には、前記所定の疾患のリスクと、前記変化傾向と、が前記健康関連データの種類ごとに記憶されており、
前記第１のステップでは、前記健康関連データの種類ごとに前記所定の疾患のリスクを決定し、
前記第２のステップでは、前記健康関連データの種類ごとに前記変化傾向を決定し、
前記第３のステップでは、前記対象人物の外見又は器官データと、前記健康関連データの種類ごとに決定された変化傾向と、に基づき、前記画像作成部に前記将来像を作成させることを特徴とする将来像予測プログラム。
【請求項８】
前記コンピュータは、前記将来像を表示可能な第１の表示部を更に有し、
前記第１の表示部上には、前記対象人物の健康関連データを連続的又は段階的に変更可能な第１の操作部と、前記将来像を連続的又は段階的に変更可能な第２の操作部と、の少なくとも一方が表示可能であり、
前記第１の操作部において前記対象人物の健康関連データが変更されると、前記第１の表示部上に、前記変更された健康関連データに基づく将来像を表示させ、前記第２の操作部において前記将来像が変更されると、前記第１の表示部上に、前記変更された将来像に対応した健康関連データを表示させる第４のステップを更に備えたことを特徴とする請求項６に記載の将来像予測プログラム。
【請求項９】
前記コンピュータは、出力部を更に有し、
前記第１のステップでは、前記健康関連データの種類ごとに前記所定の疾患のリスクを決定した上で、複数の前記所定の疾患のリスクを複合した複合値を算出し、
前記記憶部には、前記複合値と、前記所定の疾患の発症又は重症化リスクと、の関係を示した第３のデータベースが記憶されており、
前記対象人物の健康関連データから得られた前記所定の疾患のリスクの複合値に応じた前記所定の疾患の発症又は重症化リスクを前記出力部から出力させる第５のステップを更に備えたことを特徴とする請求項６又は８に記載の将来像予測プログラム。
【請求項１０】
前記コンピュータは、複数の器官イメージを表示可能な第２の表示部を更に有し、
前記第２の表示部において選択された器官イメージが、前記対象人物の器官データとして前記入力部に入力されることを特徴とする請求項６、８、９のいずれか一項に記載の将来像予測プログラム。
【請求項１１】
健康関連データと、所定の疾患のリスクと、の関係を示した第１のデータベースと、前記所定の疾患のリスクと、外見又は器官の変化傾向と、の関係を示した第２のデータベースと、を記憶した記憶部と、対象人物の健康関連データと、前記対象人物の外見又は器官データと、が入力される入力部と、画像作成可能な画像作成部と、を有するコンピュータにインストールされるプログラムを記録した非一過性の記録媒体であって、前記プログラムは、
前記第１のデータベースを参照して、前記対象人物の健康関連データに応じた前記所定の疾患のリスクを決定する第１のステップと、
前記第２のデータベースを参照して、前記決定された所定の疾患のリスクに応じた外見又は器官の変化傾向を決定する第２のステップと、
前記対象人物の外見又は器官データと、前記決定された外見又は器官の変化傾向と、に基づき、前記画像作成部に前記対象人物の外見又は器官の将来像を作成させる第３のステップと、
を備え、
前記記憶部には、前記所定の疾患のリスクと、前記変化傾向と、が前記健康関連データの種類ごとに記憶されており、
前記第１のステップでは、前記健康関連データの種類ごとに前記所定の疾患のリスクを決定し、
前記第２のステップでは、前記健康関連データの種類ごとに前記変化傾向を決定し、
前記第３のステップでは、前記対象人物の外見又は器官データと、前記健康関連データの種類ごとに決定された変化傾向と、に基づき、前記画像作成部に前記将来像を作成させることを特徴とする記録媒体。
【請求項１３】
前記コンピュータは、前記将来像を表示可能な第１の表示部を更に有し、
前記第１の表示部上には、前記対象人物の健康関連データを連続的又は段階的に変更可能な第１の操作部と、前記将来像を連続的又は段階的に変更可能な第２の操作部と、の少なくとも一方が表示可能であり、
前記第１の操作部において前記対象人物の健康関連データが変更されると、前記第１の表示部上に、前記変更された健康関連データに基づく将来像を表示させ、前記第２の操作部において前記将来像が変更されると、前記第１の表示部上に、前記変更された将来像に対応した健康関連データを表示させる第４のステップを更に備えたことを特徴とする請求項１１に記載の記録媒体。
【請求項１４】
前記コンピュータは、出力部を更に有し、
前記第１のステップでは、前記健康関連データの種類ごとに前記所定の疾患のリスクを決定した上で、複数の前記所定の疾患のリスクを複合した複合値を算出し、
前記記憶部には、前記複合値と、前記所定の疾患の発症又は重症化リスクと、の関係を示した第３のデータベースが記憶されており、
前記対象人物の健康関連データから得られた前記所定の疾患のリスクの複合値に応じた前記所定の疾患の発症又は重症化リスクを前記出力部から出力させる第５のステップを更に備えたことを特徴とする請求項１１又は１３に記載の記録媒体。
【請求項１５】
前記コンピュータは、複数の器官イメージを表示可能な第２の表示部を更に有し、
前記第２の表示部において選択された器官イメージが、前記対象人物の器官データとして前記入力部に入力されることを特徴とする請求項１１、１３、１４のいずれか一項に記載の記録媒体。
【発明の詳細な説明】
【技術分野】
【０００１】
本発明は、所定の疾患による対象人物の将来像を予測するための将来像予測装置に関する。
【背景技術】
【０００２】
従来より、過去の顔画像のデータと、現在の顔画像のデータと、を比較し、皮膚の変色等に関連した健康管理情報を生成する情報端末装置が知られている（例えば、特許文献１参照）。
【先行技術文献】
【特許文献】
【０００３】
【特許文献１】特開２０１４−１８０３０５号公報
【発明の概要】
【発明が解決しようとする課題】
【０００４】
しかしながら、上記技術では、顔画像の変化のみに基づいて健康管理情報を生成して健康状態を判定しているだけであり、具体的な疾患のリスクを予測しているわけではないので、利用者の健康管理の意識改革及び行動変容には繋がりにくい。また、上記技術では、現時点での健康状態を判定しているだけであり、予防的意義も有していない。【０００５】
そこで、本発明は、対象人物に健康管理の意識改革及び行動変容を強く促すことのできる将来像予測装置を提供することを目的としている。
【課題を解決するための手段】
【０００６】
本発明は、健康関連データと、所定の疾患のリスクと、の関係を示した第１のデータベースと、前記所定の疾患のリスクと、外見又は器官の変化傾向と、の関係を示した第２のデータベースと、を記憶した記憶部と、対象人物の健康関連データと、前記対象人物の外見又は器官データと、が入力される入力部と、前記第１のデータベースを参照して、前記対象人物の健康関連データに応じた前記所定の疾患のリスクを決定する第１の決定部と、前記第２のデータベースを参照して、前記決定された所定の疾患のリスクに応じた外見又は器官の変化傾向を決定する第２の決定部と、前記対象人物の外見又は器官データと、前記決定された外見又は器官の変化傾向と、に基づき、前記対象人物の外見又は器官の将来像を作成する画像作成部と、を備えたことを特徴とする将来像予測装置を提供している。【０００７】
このような構成によれば、現状の健康管理を続けた場合に予測される将来像を視覚的に対象人物に認識させることができるので、対象人物に健康管理の意識改革及び行動変容を強く促すことが可能となる。【０００８】
また、前記記憶部には、前記所定の疾患のリスクと、前記変化傾向と、が前記健康関連データの種類ごとに記憶されており、前記第１の決定部は、前記健康関連データの種類ごとに前記所定の疾患のリスクを決定し、前記第２の決定部は、前記健康関連データの種類ごとに前記変化傾向を決定し、前記画像作成部は、前記対象人物の外見又は器官データと、前記健康関連データの種類ごとに決定された変化傾向と、に基づき、前記将来像を作成することが好ましい。【０００９】
このような構成によれば、所定の疾患に関連の深い健康関連データほど、所定の疾患のリスク及び変化傾向の決定に大きな影響を与えるように重み付けがなされることとなるので、より信頼度の高い所定の疾患のリスク及び外見又は器官の変化傾向が決定されることとなる。【００１０】
また、前記将来像を表示可能な第１の表示部を更に備え、前記第１の表示部上には、前記対象人物の健康関連データを連続的又は段階的に変更可能な第１の操作部と、前記将来像を連続的又は段階的に変更可能な第２の操作部と、の少なくとも一方が表示可能であり、前記第１の操作部において前記対象人物の健康関連データが変更されると、前記第１の表示部上には、前記変更された健康関連データに基づく将来像が表示され、前記第２の操作部において前記将来像が変更されると、前記第１の表示部上には、前記変更された将来像に対応した健康関連データが表示されることが好ましい。【００１１】
このような構成によれば、対象人物の健康管理の意識改革及び行動変容により期待される外見又は器官の変化を、視覚的・直感的に認識することができるので、意識改革及び行動変容に対するより強い動機付けが可能となる。【００１２】
また、前記将来像を出力可能な出力部を更に備え、前記第１の決定部は、前記健康関連データの種類ごとに前記所定の疾患のリスクを決定した上で、複数の前記所定の疾患のリスクを複合した複合値を算出し、前記記憶部には、前記複合値と、前記所定の疾患の発症又は重症化リスクと、の関係を示した第３のデータベースが記憶されており、前記対象人物の健康関連データから得られた前記所定の疾患のリスクの複合値に応じた前記所定の疾患の発症又は重症化リスクが前記出力部から出力させることが好ましい。【００１３】
このような構成によれば、現状の健康管理を続けた場合に予測される“所定の疾患の発症又は重症化リスク”を、数値や文字等により認識させることができるので、対象人物の健康管理の意識改革及び行動変容をより強く促すことが可能となる。【００１４】
また、複数の器官イメージを表示可能な第２の表示部を更に備え、前記第２の表示部において選択された器官イメージが、前記対象人物の器官データとして前記入力部に入力されることが好ましい。【００１５】
このような構成によれば、撮像データを取得することが難しい場合にも将来像を作成することが可能となる。【００１６】
また、本発明の別の観点によれば、健康関連データと、所定の疾患のリスクと、の関係を示した第１のデータベースと、前記所定の疾患のリスクと、外見又は器官の変化傾向と、の関係を示した第２のデータベースと、を記憶した記憶部と、対象人物の健康関連データと、前記対象人物の外見又は器官データと、が入力される入力部と、画像作成可能な画像作成部と、を有するコンピュータにインストールされるプログラムであって、前記第１のデータベースを参照して、前記対象人物の健康関連データに応じた前記所定の疾患のリスクを決定する第１のステップと、前記第２のデータベースを参照して、前記決定された所定の疾患のリスクに応じた外見又は器官の変化傾向を決定する第２のステップと、前記対象人物の外見又は器官データと、前記決定された外見又は器官の変化傾向と、に基づき、前記画像作成部に前記対象人物の外見又は器官の将来像を作成させる第３のステップと、を備えたことを特徴とする将来像予測プログラムを提供している。【００１７】
また、前記記憶部には、前記所定の疾患のリスクと、前記変化傾向と、が前記健康関連データの種類ごとに記憶されており、前記第１のステップでは、前記健康関連データの種類ごとに前記所定の疾患のリスクを決定し、前記第２のステップでは、前記健康関連データの種類ごとに前記変化傾向を決定し、前記第３のステップでは、前記対象人物の外見又は器官データと、前記健康関連データの種類ごとに決定された変化傾向と、に基づき、前記画像作成部に前記将来像を作成させることが好ましい。【００１８】
また、前記コンピュータは、前記将来像を表示可能な第１の表示部を更に有し、前記第１の表示部上には、前記対象人物の健康関連データを連続的又は段階的に変更可能な第１の操作部と、前記将来像を連続的又は段階的に変更可能な第２の操作部と、の少なくとも一方が表示可能であり、前記第１の操作部において前記対象人物の健康関連データが変更されると、前記第１の表示部上に、前記変更された健康関連データに基づく将来像を表示させ、前記第２の操作部において前記将来像が変更されると、前記第１の表示部上に、前記変更された将来像に対応した健康関連データを表示させる第４のステップを更に備えたことが好ましい。【００１９】
また、前記コンピュータは、出力部を更に有し、前記第１のステップでは、前記健康関連データの種類ごとに前記所定の疾患のリスクを決定した上で、複数の前記所定の疾患のリスクを複合した複合値を算出し、前記記憶部には、前記複合値と、前記所定の疾患の発症又は重症化リスクと、の関係を示した第３のデータベースが記憶されており、前記対象人物の健康関連データから得られた前記所定の疾患のリスクの複合値に応じた前記所定の疾患の発症又は重症化リスクを前記出力部から出力させる第５のステップを更に備えたことが好ましい。【００２０】
前記コンピュータは、複数の器官イメージを表示可能な第２の表示部を更に有し、前記第２の表示部において選択された器官イメージが、前記対象人物の器官データとして前記入力部に入力されることが好ましい。【００２１】
また、本発明の別の観点によれば、健康関連データと、所定の疾患のリスクと、の関係を示した第１のデータベースと、前記所定の疾患のリスクと、外見又は器官の変化傾向と、の関係を示した第２のデータベースと、を記憶した記憶部と、対象人物の健康関連データと、前記対象人物の外見又は器官データと、が入力される入力部と、画像作成可能な画像作成部と、を有するコンピュータにインストールされるプログラムを記録した非一過性の記録媒体であって、前記プログラムは、前記第１のデータベースを参照して、前記対象人物の健康関連データに応じた前記所定の疾患のリスクを決定する第１のステップと、前記第２のデータベースを参照して、前記決定された所定の疾患のリスクに応じた外見又は器官の変化傾向を決定する第２のステップと、前記対象人物の外見又は器官データと、前記決定された外見又は器官の変化傾向と、に基づき、前記画像作成部に前記対象人物の外見又は器官の将来像を作成させる第３のステップと、を備えたことを特徴とする記録媒体を提供している。【００２２】
また、前記記憶部には、前記所定の疾患のリスクと、前記変化傾向と、が前記健康関連データの種類ごとに記憶されており、前記第１のステップでは、前記健康関連データの種類ごとに前記所定の疾患のリスクを決定し、前記第２のステップでは、前記健康関連データの種類ごとに前記変化傾向を決定し、前記第３のステップでは、前記対象人物の外見又は器官データと、前記健康関連データの種類ごとに決定された変化傾向と、に基づき、前記画像作成部に前記将来像を作成させることが好ましい。【００２３】
また、前記コンピュータは、前記将来像を表示可能な第１の表示部を更に有し、前記第１の表示部上には、前記対象人物の健康関連データを連続的又は段階的に変更可能な第１の操作部と、前記将来像を連続的又は段階的に変更可能な第２の操作部と、の少なくとも一方が表示可能であり、前記第１の操作部において前記対象人物の健康関連データが変更されると、前記第１の表示部上に、前記変更された健康関連データに基づく将来像を表示させ、前記第２の操作部において前記将来像が変更されると、前記第１の表示部上に、前記変更された将来像に対応した健康関連データを表示させる第４のステップを更に備えたことが好ましい。【００２４】
また、前記コンピュータは、出力部を更に有し、前記第１のステップでは、前記健康関連データの種類ごとに前記所定の疾患のリスクを決定した上で、複数の前記所定の疾患のリスクを複合した複合値を算出し、前記記憶部には、前記複合値と、前記所定の疾患の発症又は重症化リスクと、の関係を示した第３のデータベースが記憶されており、前記対象人物の健康関連データから得られた前記所定の疾患のリスクの複合値に応じた前記所定の疾患の発症又は重症化リスクを前記出力部から出力させる第５のステップを更に備えたことが好ましい。【００２５】
また、前記コンピュータは、複数の器官イメージを表示可能な第２の表示部を更に有し、前記第２の表示部において選択された器官イメージが、前記対象人物の器官データとして前記入力部に入力されることが好ましい。
【発明の効果】
【００２６】
本発明の将来像予測装置によれば、対象人物に健康管理の意識改革及び行動変容を強く促すことが可能となる。
【図面の簡単な説明】
【００２７】
【図１】本発明の実施の形態による将来像予測装置のブロック図
【図２】本発明の実施の形態による“健康関連データと、メタボリック症候群のリスクと、の関係”の説明図
【図３】本発明の実施の形態による“メタボリック症候群のリスクと、外見の変化傾向と、の関係”の説明図
【図４】本発明の実施の形態による将来像の説明図
【図５】本発明の実施の形態による制御部の動作のフローチャート
【図６】本発明の変形例による将来像の説明図
【図７】本発明の変形例による将来像の変更の説明図
【発明を実施するための形態】
【００２８】
以下、本発明の実施の形態による将来像予測装置１について、図１−図５を参照して説明する。
【００２９】
将来像予測装置１は、対象人物の生体情報や生活習慣情報等の健康関連データに基づき所定の疾患のリスクを決定し、当該所定の疾患による対象人物の将来像を予測するためのものである。本実施の形態では、一例として“メタボリック症候群”による対象人物の “外見”の将来像を予測する場合について用いて説明する。
【００３０】
図１に示すように、将来像予測装置１は、入力部２と、記憶部３と、制御部４と、表示部５と、を備えている。
【００３１】
入力部２には、対象人物から取得された健康関連データと、対象人物の外見データと、が入力される。
【００３２】
健康関連データの種類としては、“年齢”、“性別”等の基本情報、“血液データ”、“血圧”、“腹部周囲径”等の生体情報、“飲酒”、“喫煙”、“運動”等の生活習慣情報、“既往歴”、“治療中の疾患”、“家族の疾患”等の疾患情報等が考えられるが、健康診断によって得られるデータのみならず、疾患と関連する可能性のあるデータは全て、健康関連データとして採用可能である。また、本実施の形態では、外見データとしては、対象人物の写真等の撮像データが入力されるものとする。
【００３３】
記憶部３には、“健康関連データと、メタボリック症候群のリスクと、の関係”が第１のデータベースとして、“メタボリック症候群のリスクと、外見の変化傾向と、の関係”が、第２のデータベースとして、記憶されている。これらは、医療機関の医療データ（Ｅｌｅｃｔｒｏｎｉｃ  Ｍｅｄｉｃａｌ  Ｒｅｃｏｒｄ：ＥＭＲ）、各種データベース、データ集積会社、国保、健保等に蓄積された多数のデータ、対象人物の保管する健康データ（Ｐｅｒｓｏｎａｌ  Ｈｅａｌｔｈ  Ｒｅｃｏｒｄ：ＰＨＲ）等に基づいて作成されたものである。詳細には、本実施の形態によるデータベース（記憶部３）は、医療機関や健康診断結果等のデータベースと接続されており、上記データベースが更新されると自動的に更新を抽出して取り込み、上記第１のデータベース及び第２のデータベースを更新する。また、マニュアルデータ入力により、上記第１のデータベース及び第２のデータベースを更新することも可能である。
【００３４】
記憶部３に記憶された“健康関連データと、メタボリック症候群のリスクと、の関係”を示した第１のデータベースは、図２に示すようなグラフで示すことができる。“メタボリック症候群のリスク”は、健康関連データの種類ごとに個別に設定されており、メタボリック症候群に関連の深い健康関連データほど、メタボリック症候群のリスクの決定に大きな影響を与えるように重み付けがなされている。例えば、図２に示すように、メタボリック症候群のリスクは、健康関連データ“年齢”よりも健康関連データ“腹部周囲径”の方が、健康関連データが標準範囲を僅かに超えただけでも急激に増加するように設定されている。
【００３５】
記憶部３に記憶された“メタボリック症候群のリスクと、外見の変化傾向と、の関係”を示した第２のデータベースは、図３に示すような表で示すことができる。外見の要素としては、サイズ、色相、偏り、しみ、しわ等が考えられるが、これらに限らず、外見に関連するものは全て、外見の要素として採用可能である。“外見の変化傾向”は、健康関連データの種類ごとに個別に設定されており、メタボリック症候群に関連の深い健康関連データほど、外見の変化傾向の決定に大きな影響を与えるように重み付けがなされている。図３に示す例では、健康関連データ“血圧”よりも健康関連データ“飲酒量”の方が、“サイズ”が増加しやすくなるように設定されている。更に、変化傾向は、体の部位ごとにも個別に設定されている。図３に示す例では、健康関連データ“飲酒量”では、“サイズ（顔）”よりも“サイズ（体）”の方が、サイズが増加するように設定されている。
【００３６】
また、記憶部３には、“加齢と、外見の変化傾向と、の関係”を示したデータベースも記憶されている。加齢に応じた変化傾向は、各外見の要素について経過年数ごとに設定されている。
【００３７】
制御部４は、記憶部３に記憶された第１のデータベース及び第２のデータベースを参照して、入力部２から入力された健康関連データ及び外見データから、メタボリック症候群による対象人物の将来像Ｘを作成する。将来像Ｘは、図４に示すように、表示部５上に表示される。なお、制御部４が、本発明の“第１の決定部”、“第２の決定部”、及び、“画像作成部”に相当する。また、表示部５が、本発明の“第１の表示部”、“第２の表示部”、及び、“出力部”に相当する。
【００３８】
ここで、図５のフローチャートを用いて、制御部４による動作について詳細に説明する。図５のフローチャートは、入力部２から対象人物の健康関連データ及び外見データが入力され、将来像予測装置１の“将来像作成ボタン”（図示せず）が押下された時に開始する。
【００３９】
まず、制御部４は、記憶部３に記憶された第１のデータベースを参照して、対象人物の健康関連データに応じた“メタボリック症候群のリスク”を決定する（Ｓ１）。
【００４０】
ここでは、例えば、健康関連データ“年齢”についてのリスクは“１”、健康関連データ“腹部周囲径”についてのリスクは“３”というように、健康関連データの種類ごとにリスクが決定される。
【００４１】
続いて、記憶部３に記憶された第２のデータベースを参照して、Ｓ１で決定された“メタボリック症候群のリスク”に応じた“外見の変化傾向”を決定する（Ｓ２）。
【００４２】
ここでは、図３に示すように、例えば、健康関連データ“血圧”の個別リスクが“１”であった場合には、“サイズ（顔）：＋１”、“サイズ（体）：＋１”、“色相（黒）：＋１”というように変化傾向が決定され、健康関連データ“飲酒量”の個別リスクが“２”であった場合には、“サイズ（顔）：＋２”、“サイズ（体）：＋３”、“色相（黒）：＋１”というように変化傾向が決定される。変化傾向は、健康関連データの全ての種類に関して決定された上で、外見の要素ごとに合算される。従って、上記の例では、合算された変化傾向は、“サイズ（顔）：＋３”、“サイズ（体）：＋４”、“色相（黒）：＋２”と決定される。
【００４３】
続いて、対象人物の外見データと、Ｓ２で決定及び合算された変化傾向と、に基づき、対象人物の将来像Ｘを作成する（Ｓ３）。この際、加齢による変化傾向も考慮される。本実施の形態では、所定の経過年数に対応した加齢による変化傾向が自動的に採用されるものとする。従って、将来像Ｘは、対象人物の顔写真を、Ｓ２で決定及び合算された変化傾向と、加齢による変化傾向と、に基づき変形・加工することにより作成される。
【００４４】
なお、“メタボリック症候群”から糖尿病・高血圧・高脂血症が進行し、肥満・糖尿病関連疾患・脳梗塞・心筋梗塞・心不全・腎不全・肝不全・動脈硬化・眼疾患・神経障害等が重症化する可能性もある。図４では、“メタボリック症候群”が進行した結果、代謝の悪化等による“加齢の加速”、“体重増加”、脳梗塞後に起こり得る“顔面半側麻痺”、糖尿病重症化後白内障による“白濁したレンズ”等が生じた将来像Ｘの一例が示されている。
【００４５】
最後に、作成した将来像Ｘを表示部５上に表示させる（Ｓ４）。
【００４６】
以上説明したように、本実施の形態による将来像予測装置１では、対象人物の生体情報や生活習慣情報等の健康関連データに基づき所定の疾患のリスクを決定し、当該所定の疾患による対象人物の将来像Ｘを作成する。これにより、現状の健康管理を続けた場合に予測される将来像を視覚的に対象人物に認識させることができるので、対象人物に健康管理の意識改革及び行動変容を強く促すことが可能となる。
【００４７】
また、本実施の形態による将来像予測装置１では、所定の疾患のリスクと、外見の変化傾向と、が健康関連データの種類ごとに記憶されており、健康関連データの種類ごとに、所定の疾患のリスク及び外見の変化傾向を決定する。これにより、所定の疾患に関連の深い健康関連データほど、所定の疾患のリスク及び外見の変化傾向の決定に大きな影響を与えるように重み付けがなされることとなるので、より信頼度の高い所定の疾患のリスク及び外見の変化傾向が決定されることとなる。
【００４８】
尚、本発明の将来像予測装置は、上述した実施の形態に限定されず、特許請求の範囲に記載した範囲で種々の変形や改良が可能である。
【００４９】
例えば、上記実施の形態では、上記実施の形態では、将来像予測装置１は、メタボリック症候群による将来像Ｘを作成したが、その他の疾患や複数の疾患による将来像Ｘを作成してもよい。その場合、外見に変化があった部位を選択すると、予測される病名を表示するようにしてもよい。
【００５０】
また、健康関連データとしては、上記実施の形態で挙げた以外のものを用いることも可能である。例えば、所定の疾患が“うつ病”の場合、健康関連データとして、音声データ等を用いることが考えられる。更に、３Ｄボディスキャナーやウェアブルデバイス等の健康関連データ計測装置により計測されたデータを健康関連データとして用いることもできる。このようなデータとしては、ウエストや太もも等のボディパーツ及び血管等の器官に関する“３Ｄスキャンデータ”、筋肉量、脂肪量、水分量等に関する“体組成データ”、ユーザの動きに関する“モーショントラッキングデータ”等が考えられる。
【００５１】
また、上記実施の形態では、外見データとして、写真等の撮像データを用いたが、似顔絵やアバター等の疑似データを用いてもよい。また、撮像データと疑似データの両方から将来像Ｘを作成し、それらを切り替え可能にしてもよい。撮像データから作成された将来像Ｘは、グロテスクなものになる可能性があるが、このような構成によれば、対象人物の要望があった場合にのみ撮像データから作成された将来像Ｘを表示する等、対象人物への状況に応じた対応が可能となる。
【００５２】
また、上記実施の形態では、外見の将来像Ｘを作成したが、臓器や血管等の器官の将来像Ｘを作成してもよい。例えば、所定の疾患が“糖尿病”の場合には、“腎症”、“網膜症”、“歯周病”、“四肢末端壊死”、“動脈硬化”等を示す将来像Ｘが作成される可能性がある。
【００５３】
なお、器官の場合、撮像データを取得することは難しい。そこで、例えば、血管の場合、図６に示すように、記憶部３に不良な血管から良好な血管まで複数の血管（器官）イメージＹを記憶させておき、表示部５に選択可能に表示させる。そして、将来像予測装置１の操作者が、対象人物の健康関連データから推測される血管（器官）イメージＹを選択することで、器官データを入力部２に入力するような構成にしてもよい。この場合、制御部４は、決定された“健康関連データに応じた所定の疾患のリスク”及び“所定の疾患のリスクに応じた外見の変化傾向”に最も近い血管（器官）イメージＹを将来像Ｘとして表示部５上に表示させることとなる。
【００５４】
また、将来像Ｘの作成後に、健康関連データを変更可能にしてもよい。この場合、例えば、図７に示すように、表示部５上に、対象人物の健康関連データを連続的又は段階的に変更可能な操作部５１を表示させる。操作部５１としては、スライドバー等が考えられ、スライドバーの位置に応じた健康管理データの数値を表示させる。そして、スライドバーを移動させて健康管理データの数値を変化させることで、将来像Ｘも変化させることができる。
【００５５】
これにより、例えば、健康関連データ“喫煙”の数値を下げることで、喫煙をやめた場合の将来像Ｘが表示される。従って、対象人物の健康管理の意識改革及び行動変容により期待される外見又は器官の変化を、視覚的・直感的に認識することができるので、意識改革及び行動変容に対するより強い動機付けが可能となる。
【００５６】
なお、上記とは可逆的に、操作部５１を操作して将来像Ｘを変化させることにより、変化後の将来像Ｘに対応する健康関連データを表示するようにしてもよい。この操作部５１が、本発明の“第１の操作部”及び“第２の操作部”に相当する。
【００５７】
また、表示部５上に、対象人物の健康関連データに基づき、“所定の疾患の発症又は重症化リスク”を表示するようにしてもよい。この場合、記憶部３には、“所定の疾患のリスクの複合値”と、“所定の疾患の発症又は重症化リスク”と、の関係を示した第３のデータベースを記憶しておく。制御部４は、健康関連データの種類ごとに所定の疾患のリスクを決定した上で、複数の所定の疾患のリスクを複合した複合値を算出する。なお、“所定の疾患の発症又は重症化リスク”の出力は、表示部５への表示以外にも、プリンタ等での印刷により行ってもよい。
【００５８】
このような構成によれば、現状の健康管理を続けた場合に予測される“所定の疾患の発症又は重症化リスク”を、数値や文字等により認識させることができるので、対象人物の健康管理の意識改革及び行動変容をより強く促すことが可能となる。
【００５９】
また、上記実施の形態では、表示部５上に表示させることにより将来像Ｘを出力したが、プリンタ等で印刷することにより出力してもよい。更に、本発明の“出力部”は、投射、投影及び空間描画等により出力してもよく、この場合には、壁、床、鏡、空間等の投射や投影可能なものは全て、本発明の“第１の表示部”及び“第２の表示部”として採用することが可能となる。また、将来像Ｘは、ＶＲ（仮想現実）やＡＲ（拡張現実）に変換したものを出力してもよく、ホログラムや３Ｄ等により立体的に出力してもよい。また、情報端末装置や健康関連データ計測装置等と一体又は別体に設けられるモニタも、本発明の“第１の表示部”及び“第２の表示部”に相当する。
【００６０】
また、上記実施の形態では、表示部５が、本発明の“第１の表示部”、“第２の表示部”、及び、“出力部”の全ての役割を果たしたが、“第１の表示部”、“第２の表示部”、及び、“出力部”をそれぞれ個別に備えても良い。
【００６１】
また、将来像Ｘ上の各部位を選択可能にし、外見に変化があった部位を選択すると、当該部位の変化を抑制するためのアドバイスが表示されるようにしてもよい。
【００６２】
また、上記実施の形態では、予め定められたパラメータである“健康関連データに応じたメタボリック症候群のリスク”と、“メタボリック症候群のリスクに応じた外見の変化傾向”と、がデータベースとして記憶部３に記憶されていたが、将来像予測装置１に学習機能を持たせておき、当該学習機能により算出された“健康関連データに応じた所定の疾患のリスク”と、“所定の疾患のリスクに応じた外見の変化傾向”と、をその都度、記憶部３に記憶するようにしてもよい。
【００６３】
また、本発明は、制御部４が行う処理に相当するプログラムや、当該プログラムを記憶した記録媒体にも応用可能である。記録媒体の場合、コンピュータ等に当該プログラムがインストールされることとなる。ここで、当該プログラムを記憶した記録媒体は、非一過性の記録媒体であっても良い。非一過性の記録媒体としては、ＣＤ−ＲＯＭ等が考えられるが、それに限定されるものではない。
【００６４】
また、本発明の“将来像予測装置”には、通常の情報端末以外に、携帯電話、スマートフォン、携帯情報端末、健康関連データ計測装置等も含まれ、本発明の“プログラム”には、通常の情報端末以外にも、上記携帯情報端末等に用いられるプログラムやアプリケーション等も含まれる。
【符号の説明】
【００６５】
１      将来像予測装置
２      入力部
３      記憶部
４      制御部
５      表示部
５１    操作部
Ｘ      将来像
【図１】
0006617991.tif 000002
【図２】
0006617991.tif 000003
【図３】
0006617991.tif 000004
【図４】
0006617991.tif 000005
【図５】
0006617991.tif 000006
【図６】
0006617991.tif 000007
【図７】
0006617991.tif 000008